(57)【要約】【課題】省電力化を図る。【解決手段】有線ＬＡＮＩ／Ｆ制御部１１４により、有線ＬＡＮＩ／Ｆ１０２の接続規格（第１の接続規格）を設定し、無線ＬＡＮＩ／Ｆ制御部１１５により、無線ＬＡＮＩ／Ｆの接続規格（第２の接続規格）を設定し、接続速度管理部１１６により、有線ＬＡＮのデータの伝送レート（第１の伝送レート）、及び無線ＬＡＮでのデータの伝送レート（第２の伝送レート）を確認し、システム制御部１１７により、接続速度管理部１１６の確認結果が、伝送レート（第２の伝送レート）より伝送レート（第１の伝送レート）が高いとき、有線ＬＡＮＩ／Ｆ制御部１１４に対し、伝送レート（第１の伝送レート）の低い接続規格（第１の接続規格）に設定するように指示する。このように、有線ＬＡＮＩ／Ｆ１０２を、伝送レートの低い接続規格（第１の接続規格）に設定することで、伝送レートを動的に変更できる。【選択図】図２
2019110436.tif 000002
【特許請求の範囲】
【請求項１】
有線ＬＡＮＩ／Ｆの第１の接続規格を設定する有線ＬＡＮＩ／Ｆ制御部と、
無線ＬＡＮＩ／Ｆの第２の接続規格を設定する無線ＬＡＮＩ／Ｆ制御部と、
有線ＬＡＮのデータの第１の伝送レート、及び無線ＬＡＮでのデータの第２の伝送レートを確認する接続速度管理部と、
前記接続速度管理部の確認結果が、前記第２の伝送レートより前記第１の伝送レートが高いとき、前記有線ＬＡＮＩ／Ｆ制御部に対し、前記第１の伝送レートの低い前記第１の接続規格に設定するように指示するシステム制御部とを備える
ことを特徴とする電子機器。
【請求項２】
前記システム制御部は、前記接続速度管理部の確認結果が、前記第２の伝送レートより前記第１の伝送レートが高いとき、前記有線ＬＡＮＩ／Ｆ制御部に対し、前記第１の伝送レートの高い接続規格を無効化するように指示することを特徴とする請求項１に記載の電子機器。
【請求項３】
前記システム制御部は、前記接続速度管理部の確認結果が、前記第２の伝送レートより前記第１の伝送レートが高いとき、前記有線ＬＡＮＩ／Ｆ制御部に対し、前記第２の伝送レートを下回る前記第１の伝送レートの前記接続規格に設定するよう指示しない
ことを特徴とする請求項１又は２に記載の電子機器。
【請求項４】
有線ＬＡＮＩ／Ｆ制御部により、有線ＬＡＮＩ／Ｆの第１の接続規格を設定する工程と、
無線ＬＡＮＩ／Ｆ制御部により、無線ＬＡＮＩ／Ｆの第２の接続規格を設定する工程と、
接続速度管理部により、有線ＬＡＮのデータの第１の伝送レート、及び無線ＬＡＮでのデータの第２の伝送レートを確認する工程と、
システム制御部により、前記接続速度管理部の確認結果が、前記第２の伝送レートより前記第１の伝送レートが高いとき、前記有線ＬＡＮＩ／Ｆ制御部に対し、前記第１の伝送レートの低い前記第１の接続規格に設定するように指示する工程とを、電子機器を制御するコンピューターに実行させる
ことを特徴とする通信設定プログラム。
【発明の詳細な説明】
【技術分野】
【０００１】
本発明は、有線ＬＡＮ（Local Area Network）と、無線ＬＡＮとの連接に適した電子機器及び通信設定プログラムに関する。
【背景技術】
【０００２】
たとえば、有線ＬＡＮによるネットワークを構築している環境において、無線ＬＡＮによるネットワークを連接することがある。ちなみに、有線ＬＡＮによるネットワークにおいては、通信機能を有するデスクトップパソコンや、ＭＦＰ(Multifunction Peripheral)等の画像形成装置を接続することで、安定したデータのやり取りが可能となる。一方、無線ＬＡＮによるネットワークにおいては、スマートフォン、ノートパソコン、タブレット型端末等の携帯端末を接続することで、場所を選ばずデータのやり取りが可能となる。なお、有線ＬＡＮでの伝送レートと無線ＬＡＮでの伝送レートとが異なるとき、場合によってはインターフェースの接続規格を変更することがある。
【０００３】
このようなインターフェースの接続規格の変更に関するものとして、特許文献１では、検出手段により、ネットワークの伝送レートを検出し、確認手段により、ネットワークの伝送レートがインターフェースの伝送レートに一致するかどうかを確認し、タイマーにより、確認処理を所定の時間間隔で繰り返し起動させ、変更手段により、確認結果が不一致であればインターフェースの伝送レートをネットワークの伝送レートに合わせて変更する中継装置を提案している。
【先行技術文献】
【特許文献】
【０００４】
【特許文献１】特開平０９−１１６５９４号公報
【発明の概要】
【発明が解決しようとする課題】
【０００５】
上述した特許文献１の中継装置では、ネットワークの伝送レートが変化した場合、これに合わせてインターフェースの伝送レートである接続規格を変更するので、インターフェースの伝送レートを動的に変更できる。
【０００６】
ところで、上述した有線ＬＡＮによるネットワークと、無線ＬＡＮによるネットワークとを連接しようとすると、中継装置に有線ＬＡＮに接続するインターフェースと、無線ＬＡＮに接続するインターフェースとを設けることが考えられる。この場合、特許文献１の中継装置での伝送レートの変更方法が適用可能であれば、有線ＬＡＮ、又は無線ＬＡＮのインターフェースの接続規格を、低い伝送レートの方に変更することで、省電力化が可能となる。
【０００７】
ところが、特許文献１の中継装置では、動的に変更できるインターフェースが単一のネットワークに接続されるものに限定される。このため、中継装置に上述した有線ＬＡＮに接続するインターフェースと、無線ＬＡＮに接続するインターフェースとを設けた場合、それぞれのインターフェースに対しての接続規格の変更を行うことができない。
【０００８】
このようなことから、複数のインターフェースに対し、それぞれの接続規格を動的に変更することで、省電力化を図ることができる装置の開発が望まれている。
【０００９】
本発明は、このような状況に鑑みてなされたものであり、上記問題点を解消することができる電子機器及び通信設定プログラムを提供することを目的とする。
【課題を解決するための手段】
【００１０】
本発明の電子機器は、有線ＬＡＮＩ／Ｆの第１の接続規格を設定する有線ＬＡＮＩ／Ｆ制御部と、無線ＬＡＮＩ／Ｆの第２の接続規格を設定する無線ＬＡＮＩ／Ｆ制御部と、有線ＬＡＮのデータの第１の伝送レート、及び無線ＬＡＮでのデータの第２の伝送レートを確認する接続速度管理部と、前記接続速度管理部の確認結果が、前記第２の伝送レートより前記第１の伝送レートが高いとき、前記有線ＬＡＮＩ／Ｆ制御部に対し、前記第１の伝送レートの低い前記第１の接続規格に設定するように指示するシステム制御部とを備えることを特徴とする。
また、前記システム制御部は、前記接続速度管理部の確認結果が、前記第２の伝送レートより前記第１の伝送レートが高いとき、前記有線ＬＡＮＩ／Ｆ制御部に対し、前記第１の伝送レートの高い接続規格を無効化するように指示することを特徴とする。
また、前記システム制御部は、前記接続速度管理部の確認結果が、前記第２の伝送レートより前記第１の伝送レートが高いとき、前記有線ＬＡＮＩ／Ｆ制御部に対し、前記第２の伝送レートを下回る前記第１の伝送レートの前記接続規格に設定するよう指示しないことを特徴とする。
本発明の通信設定プログラムは、有線ＬＡＮＩ／Ｆ制御部により、有線ＬＡＮＩ／Ｆの第１の接続規格を設定する工程と、無線ＬＡＮＩ／Ｆ制御部により、無線ＬＡＮＩ／Ｆの第２の接続規格を設定する工程と、接続速度管理部により、有線ＬＡＮのデータの第１の伝送レート、及び無線ＬＡＮでのデータの第２の伝送レートを確認する工程と、システム制御部により、前記接続速度管理部の確認結果が、前記第２の伝送レートより前記第１の伝送レートが高いとき、前記有線ＬＡＮＩ／Ｆ制御部に対し、前記第１の伝送レートの低い前記第１の接続規格に設定するように指示する工程とを、電子機器を制御するコンピューターに実行させることを特徴とする。
本発明の電子機器及び通信設定プログラムでは、有線ＬＡＮＩ／Ｆ制御部により、有線ＬＡＮＩ／Ｆの第１の接続規格を設定し、無線ＬＡＮＩ／Ｆ制御部により、無線ＬＡＮＩ／Ｆの第２の接続規格を設定し、接続速度管理部により、有線ＬＡＮのデータの第１の伝送レート、及び無線ＬＡＮでのデータの第２の伝送レートを確認し、システム制御部により、接続速度管理部の確認結果が、第２の伝送レートより第１の伝送レートが高いとき、有線ＬＡＮＩ／Ｆ制御部に対し、第１の伝送レートの低い第１の接続規格に設定するように指示する。
このように、有線ＬＡＮＩ／Ｆを、伝送レートの低い第１の接続規格に設定することで、伝送レートを動的に変更できる。
【発明の効果】
【００１１】
本発明の電子機器及び通信設定プログラムによれば、有線ＬＡＮＩ／Ｆを、伝送レートの低い第１の接続規格に設定することで、伝送レートを動的に変更できることから、省電力化を図ることができる。
【図面の簡単な説明】
【００１２】
【図１】本発明の電子機器を中継装置に適用した場合の一実施形態を説明するための図である。
【図２】図１の中継装置の構成の一例を示す図である。
【図３】図１の中継装置による、有線ＬＡＮの接続の確立後に、無線ＬＡＮの接続を確立する場合での通信設定処理を説明するためのフローチャートである。
【図４】図１の中継装置による、無線ＬＡＮの接続の確立後に、有線ＬＡＮの接続を確立する場合での通信設定処理を説明するためのフローチャートである。
【発明を実施するための形態】
【００１３】
以下、本発明の電子機器の一実施形態を、図１〜図４を参照しながら説明する。なお、以下の説明においての電子機器の一例としては、有線ＬＡＮ(Local Area Network)と無線ＬＡＮとを連接する中継装置であるものとする。
【００１４】
まず、図１に示すように、中継装置１００は、無線ＬＡＮ親機３００を介してデータ送受信の中継を行う。中継装置１００には、有線ＬＡＮを構成するケーブル１２１を介して印刷機能、コピー機能、ＦＡＸ機能、スキャナー機能、ネットワーク経由でのデータ送受信機能等を有するＭＦＰ(Multifunction Peripheral)４００が接続されている。また、中継装置１００には、無線ＬＡＮにより無線ＬＡＮ親機３００が接続されている。無線ＬＡＮ親機３００には、無線ＬＡＮによりユーザー端末５００が接続されている。なお、中継装置１００は、詳細については後述するが、有線ＬＡＮ、及び無線ＬＡＮの接続を確立する場合、接続規格を伝送レートの低い方に変更するように設定する。
【００１５】
次に、図２を参照し、中継装置１００の構成の一例について説明する。中継装置１００は、有線ＬＡＮＩ／Ｆ（インターフェース）１０２、無線ＬＡＮＩ／Ｆ（インターフェース）１０３を制御する制御部１１０を備えている。有線ＬＡＮＩ／Ｆ１０２は、ケーブル１２１を介してのＭＦＰ４００との通信を受け持つ。無線ＬＡＮＩ／Ｆ１０３は、無線ＬＡＮによる無線ＬＡＮ親機３００との通信を受け持つ。
【００１６】
制御部１１０は、アプリケーションプログラム及び制御プログラム等を実行して中継装置１００全体の動作を制御するプロセッサーである。制御部１１０は、ＲＡＭ(Random Access Memory)１１１、ＲＯＭ（ｒｅａｄ−ｏｎｌｙ  ｍｅｍｏｒｙ）１１２、有線ＬＡＮＩ／Ｆ制御部１１４、無線ＬＡＮＩ／Ｆ制御部１１５、接続速度管理部１１６、システム制御部１１７を備えている。また、これらは、データバス１１８に接続されている。
【００１７】
ＲＡＭ１１１は、プログラムを実行するためのワークメモリーである。ＲＯＭ１１２には、各部の動作チェック等を行う制御プログラムが記憶されている。有線ＬＡＮＩ／Ｆ制御部１１４は、有線ＬＡＮＩ／Ｆ１０２を介し、ＭＦＰ４００との間でのデータ等の送受信の制御を行う。なお、有線ＬＡＮＩ／Ｆ制御部１１４は、たとえば、データの最大転送速度（規格上の伝送レート）が1Gbps(＝1000Mbps)となる接続規格（1000BASE-T）と、データの最大転送速度が100Mbpsとなる接続規格（100BASE-TX）と、データの最大転送速度が10Mbpsとなる接続規格（10BASE-T）とを有し、システム制御部１１７に指示に従い、有線ＬＡＮＩ／Ｆ１０２の接続規格を決定する。
【００１８】
無線ＬＡＮＩ／Ｆ制御部１１５は、無線ＬＡＮＩ／Ｆ１０３を介し、無線ＬＡＮ親機３００との間でのデータ等の送受信の制御を行う。なお、無線ＬＡＮＩ／Ｆ制御部１１５は、たとえば周波数帯が2.4GHzの場合、データの最大転送速度が600Mbpsとなる接続規格（IEEE802.11n）と、データの最大転送速度が54Mbpsとなる接続規格（IEEE802.11g）と、データの最大転送速度が11Mbpsとなる接続規格（IEEE802.11b）とを有し、システム制御部１１７に指示に従い、無線ＬＡＮＩ／Ｆ１０３の接続規格を決定する。接続速度管理部１１６は、有線ＬＡＮ、及び無線ＬＡＮの接続の確立の際、有線ＬＡＮの伝送レートと、無線ＬＡＮの伝送レートとを確認し、システム制御部１１７に通知する。
【００１９】
システム制御部１１７は、各部の連携動作等を制御する。また、システム制御部１１７は、中継装置１００の起動時、又は有線ＬＡＮＩ／Ｆ１０２や無線ＬＡＮＩ／Ｆ１０３に対してＭＦＰ４００、無線ＬＡＮ親機３００が接続されたとき、接続速度管理部１１６に対して有線ＬＡＮの伝送レートと、無線ＬＡＮの伝送レートとの確認を指示する。また、システム制御部１１７は、接続速度管理部１１６からの確認結果に基づき、有線ＬＡＮＩ／Ｆ制御部１１４に対し、接続規格を伝送レートの低い方に変更するように指示する。但し、システム制御部１１７は、有線ＬＡＮＩ／Ｆ制御部１１４に対し、無線ＬＡＮのデータの最大伝送速度を下回る有線ＬＡＮのデータの最大転送速度となる接続規格に変更するよう指示しない。つまり、システム制御部１１７は、有線ＬＡＮＩ／Ｆ制御部１１４に対し、無線ＬＡＮのデータの最大伝送速度以上となることを条件に、有線ＬＡＮのデータの最大転送速度が最も遅い接続規格に変更するよう指示する。なお、本実施形態では、有線ＬＡＮの伝送レートが無線ＬＡＮの伝送レートより高い場合を想定している。このため、システム制御部１１７は、有線ＬＡＮＩ／Ｆ制御部１１４に対し、接続規格を伝送レートの低い方に変更するように指示する。具体的には、接続速度管理部１１６が無線ＬＡＮの実際のデータの伝送レートと、有線ＬＡＮの実際のデータの伝送レートとを確認する。ここで、接続速度管理部１１６が無線ＬＡＮのデータの最大転送速度がたとえば54Mbpsであることを確認し、有線ＬＡＮのデータの最大転送速度がたとえば1Gbps(＝1000Mbps)であることを確認したとする。この場合、有線ＬＡＮＩ／Ｆ制御部１１４は、データの最大転送速度が1Gbps(＝1000Mbps)となる接続規格（1000BASE-T）を無効化し、たとえばデータの最大転送速度が100Mbpsとなる接続規格（100BASE-TX）を有効化する。これにより、有線ＬＡＮＩ／Ｆ１０２は、データの最大転送速度が100Mbpsとなる接続規格（100BASE-TX）でのケーブル１２１を介してのＭＦＰ４００との通信を受け持つ。
【００２０】
次に、図３を参照し、中継装置１００での通信設定処理について説明する。なお、図３は、中継装置１００による、有線ＬＡＮの接続の確立後に、無線ＬＡＮの接続を確立する場合での通信設定処理を示している。また、以下では、有線ＬＡＮＩ／Ｆ１０２が有線ＬＡＮのデータの最大転送速度の1Gbps(＝1000Mbps)となる接続規格（1000BASE-T）に設定され、有線ＬＡＮの接続が既に確立されているとして説明する。
【００２１】
（ステップＳ１０１）
システム制御部１１７は、無線ＬＡＮの接続の確立が完了したかどうかを判断する。
この場合、システム制御部１１７は、無線ＬＡＮＩ／Ｆ制御部１１５からの接続の確立が完了したことを示す通知が無ければ、無線ＬＡＮの接続の確立が完了していないと判断する（ステップＳ１０１：Ｎｏ）。
これに対し、システム制御部１１７は、無線ＬＡＮＩ／Ｆ制御部１１５からの接続の確立が完了したことを示す通知が有れば、無線ＬＡＮの接続の確立が完了したと判断し（ステップＳ１０１：Ｙｅｓ）、ステップＳ１０２に移行する。
なお、無線ＬＡＮＩ／Ｆ制御部１１５は、無線ＬＡＮＩ／Ｆ１０３を介し、無線ＬＡＮ親機３００とのネゴシエーションにより、伝送レートを設定する。ここで、中継装置４００と無線ＬＡＮ親機３００とが対応している接続規格、中継装置４００と無線ＬＡＮ親機３００との間の通信環境によって最も効率の良い伝送レートが選択される。そして、無線ＬＡＮＩ／Ｆ制御部１１５は、無線ＬＡＮＩ／Ｆ１０３の設定が完了すると、システム制御部１１７に対し、接続の確立が完了したことを通知する。
【００２２】
（ステップＳ１０２）
システム制御部１１７は、接続速度管理部１１６に対し、無線ＬＡＮと有線ＬＡＮの伝送レートの確認を指示する。
このとき、接続速度管理部１１６は、無線ＬＡＮＩ／Ｆ制御部１１５を介し、無線ＬＡＮ側の実際のデータの伝送レートを確認する。また、接続速度管理部１１６は、有線ＬＡＮＩ／Ｆ制御部１１４を介し、有線ＬＡＮ側の実際のデータの伝送レートを確認する。そして、接続速度管理部１１６は、無線ＬＡＮ側と有線ＬＡＮ側の確認した実際のデータの伝送レートをシステム制御部１１７に通知する。
【００２３】
（ステップＳ１０３）
システム制御部１１７は、有線ＬＡＮの伝送レートが無線ＬＡＮの伝送レートより高いかどうかを判断する。
この場合、システム制御部１１７は、接続速度管理部１１６の確認結果が、有線ＬＡＮの伝送レートより無線ＬＡＮの伝送レートが高いとき、有線ＬＡＮの伝送レートが無線ＬＡＮの伝送レートより高くないと判断し（ステップＳ１０３：Ｎｏ）、処理を終了する。
これに対し、システム制御部１１７は、接続速度管理部１１６の確認結果が、無線ＬＡＮの伝送レートより有線ＬＡＮの伝送レートが高いとき、有線ＬＡＮの伝送レートが無線ＬＡＮの伝送レートより高いと判断し（ステップＳ１０３：Ｙｅｓ）、ステップＳ１０４に移行する。
【００２４】
（ステップＳ１０４）
システム制御部１１７は、有線ＬＡＮと無線ＬＡＮの接続規格を確認し、有線ＬＡＮのデータの最大転送速度が無線ＬＡＮのデータの最大転送速度を下回らないように、有線ＬＡＮの接続規格を最大転送速度の遅い接続規格に切り替える。
たとえば、無線ＬＡＮのデータの最大転送速度が54Mbps（IEEE802.11g）または11Mbps（IEEE802.11b）である場合、システム制御部１１７は、有線ＬＡＮＩ／Ｆ制御部１１４に対し、伝送レートの高い接続規格の無効化を指示する。
このとき、有線ＬＡＮＩ／Ｆ制御部１１４は、データの最大転送速度が1Gbps(＝1000Mbps)となる接続規格（1000BASE-T）を無効化し、たとえばデータの最大転送速度が100Mbpsとなる接続規格（100BASE-TX）を有効化する。これにより、有線ＬＡＮＩ／Ｆ１０２は、データの最大転送速度が100Mbpsとなる接続規格（100BASE-TX）でのケーブル１２１を介してのＭＦＰ４００との通信を受け持つ。
但し、たとえば、無線ＬＡＮのデータの最大転送速度が600Mbps（IEEE802.11n）である場合、システム制御部１１７は、有線ＬＡＮＩ／Ｆ制御部１１４に対し、伝送レートの高い接続規格の無効化を指示しない。
【００２５】
（ステップＳ１０５）
システム制御部１１７は、有線ＬＡＮＩ／Ｆ制御部１１４に対し、有線ＬＡＮの再接続を指示する。
このとき、有線ＬＡＮＩ／Ｆ制御部１１４は、有線ＬＡＮＩ／Ｆ１０２を介し、ＭＦＰ４００とのネゴシエーションにより、有線ＬＡＮＩ／Ｆ１０２の伝送レートをデータの最大転送速度が100Mbpsとなる接続規格（100BASE-TX）に設定する。
なお、ＭＦＰ４００側では、中継装置１００とのネゴシエーションにより、自動的に、データの最大転送速度が100Mbpsとなる接続規格（100BASE-TX）に設定する。
【００２６】
次に、図４を参照し、無線ＬＡＮの接続の確立後に、有線ＬＡＮの接続を確立する場合での通信設定処理について説明する。また、以下では、上記同様に、有線ＬＡＮＩ／Ｆ１０２が有線ＬＡＮのデータの最大転送速度の1Gbps(＝1000Mbps)となる接続規格（1000BASE-T）に設定され、無線ＬＡＮの接続が既に確立されているとして説明する。
【００２７】
（ステップＳ２０１）
システム制御部１１７は、有線ＬＡＮの接続の確立が完了したかどうかを判断する。
この場合、システム制御部１１７は、有線ＬＡＮＩ／Ｆ制御部１１４からの接続の確立が完了したことを示す通知が無ければ、有線ＬＡＮの接続の確立が完了していないと判断する（ステップＳ２０１：Ｎｏ）。
これに対し、システム制御部１１７は、有線ＬＡＮＩ／Ｆ制御部１１４からの接続の確立が完了したことを示す通知が有れば、有線ＬＡＮの接続の確立が完了したと判断し（ステップＳ２０１：Ｙｅｓ）、ステップＳ２０２に移行する。
なお、有線ＬＡＮＩ／Ｆ制御部１１４は、有線ＬＡＮＩ／Ｆ１０２を介し、ＭＦＰ４００とのネゴシエーションにより、伝送レートを設定する。このとき、有線ＬＡＮＩ／Ｆ制御部１１４は、ＭＦＰ４００側がデータの最大転送速度の1Gbps(＝1000Mbps)であるとき、有線ＬＡＮＩ／Ｆ１０２を最大転送速度の1Gbps(＝1000Mbps)の接続規格（1000BASE-T）に設定する。そして、有線ＬＡＮＩ／Ｆ制御部１１４は、有線ＬＡＮＩ／Ｆ１０２の設定が完了すると、システム制御部１１７に対し、接続の確立が完了したことを通知する。
【００２８】
（ステップＳ２０２）
システム制御部１１７は、接続速度管理部１１６に対し、有線ＬＡＮと無線ＬＡＮの伝送レートの確認を指示する。
このとき、接続速度管理部１１６は、有線ＬＡＮＩ／Ｆ制御部１１４を介し、有線ＬＡＮ側の実際のデータの伝送レートを確認する。また、接続速度管理部１１６は、無線ＬＡＮＩ／Ｆ制御部１１５を介し、無線ＬＡＮ側の実際のデータの伝送レートを確認する。そして、接続速度管理部１１６は、有線ＬＡＮ側と無線ＬＡＮ側の確認した実際のデータの伝送レートをシステム制御部１１７に通知する。
【００２９】
（ステップＳ２０３）
システム制御部１１７は、有線ＬＡＮの伝送レートが無線ＬＡＮの伝送レートより高いかどうかを判断する。
この場合、システム制御部１１７は、接続速度管理部１１６の確認結果が、有線ＬＡＮの伝送レートより無線ＬＡＮの伝送レートが高いとき、有線ＬＡＮの伝送レートが無線ＬＡＮの伝送レートより高くないと判断し（ステップＳ２０３：Ｎｏ）、処理を終了する。
これに対し、システム制御部１１７は、接続速度管理部１１６の確認結果が、無線ＬＡＮの伝送レートより有線ＬＡＮの伝送レートが高いとき、有線ＬＡＮの伝送レートが無線ＬＡＮの伝送レートより高いと判断し（ステップＳ２０３：Ｙｅｓ）、ステップＳ２０４に移行する。
【００３０】
（ステップＳ２０４）
システム制御部１１７は、有線ＬＡＮと無線ＬＡＮの接続規格を確認し、有線ＬＡＮのデータの最大転送速度が無線ＬＡＮのデータの最大転送速度を下回らないように、有線ＬＡＮの接続規格を最大転送速度の遅い接続規格に切り替える。
たとえば、無線ＬＡＮのデータの最大転送速度が54Mbps（IEEE802.11g）または11Mbps（IEEE802.11b）である場合、システム制御部１１７は、有線ＬＡＮＩ／Ｆ制御部１１４に対し、伝送レートの高い接続規格の無効化を指示する。
このとき、有線ＬＡＮＩ／Ｆ制御部１１４は、データの最大転送速度が1Gbps(＝1000Mbps)となる接続規格（1000BASE-T）を無効化し、たとえばデータの最大転送速度が100Mbpsとなる接続規格（100BASE-TX）を有効化する。これにより、有線ＬＡＮＩ／Ｆ１０２は、データの最大転送速度が100Mbpsとなる接続規格（100BASE-TX）でのケーブル１２１を介してのＭＦＰ４００との通信を受け持つ。
但し、たとえば、無線ＬＡＮのデータの最大転送速度が600Mbps（IEEE802.11n）である場合、システム制御部１１７は、有線ＬＡＮＩ／Ｆ制御部１１４に対し、伝送レートの高い接続規格の無効化を指示しない。
【００３１】
（ステップＳ２０５）
システム制御部１１７は、有線ＬＡＮＩ／Ｆ制御部１１４に対し、有線ＬＡＮの再接続を指示する。
このとき、有線ＬＡＮＩ／Ｆ制御部１１４は、有線ＬＡＮＩ／Ｆ１０２を介し、ＭＦＰ４００とのネゴシエーションにより、有線ＬＡＮＩ／Ｆ１０２の伝送レートをデータの最大転送速度が100Mbpsとなる接続規格（100BASE-TX）に設定する。
なお、ＭＦＰ４００側では、中継装置１００とのネゴシエーションにより、自動的に、データの最大転送速度が100Mbpsとなる接続規格（100BASE-TX）に設定する。
【００３２】
このように、本実施形態では、有線ＬＡＮＩ／Ｆ制御部１１４により、有線ＬＡＮＩ／Ｆ１０２の接続規格（第１の接続規格）を設定し、無線ＬＡＮＩ／Ｆ制御部１１５により、無線ＬＡＮＩ／Ｆの接続規格（第２の接続規格）を設定し、接続速度管理部１１６により、有線ＬＡＮのデータの伝送レート（第１の伝送レート）、及び無線ＬＡＮでのデータの伝送レート（第２の伝送レート）を確認し、システム制御部１１７により、接続速度管理部１１６の確認結果が、伝送レート（第２の伝送レート）より伝送レート（第１の伝送レート）が高いとき、有線ＬＡＮＩ／Ｆ制御部１１４に対し、伝送レート（第１の伝送レート）の低い接続規格（第１の接続規格）に設定するように指示する。
【００３３】
このように、有線ＬＡＮＩ／Ｆ１０２を、伝送レートの低い接続規格（第１の接続規格）に設定することで、伝送レートを動的に変更できることから、省電力化を図ることができる。
【００３４】
なお、図３及び図４の処理フローにおいて、実際の伝送レートの確認（ステップＳ１０２、Ｓ２０２）及び比較（ステップＳ１０３、Ｓ２０３）を行ったが、実際の伝送レートに代えて接続規格上の最大伝送速度（規格上の伝送レート）の確認及び比較を行ってもよい。
【００３５】
また、上記の実施形態では、無線ＬＡＮの接続規格に対応する周波数帯が2.4GHzの場合について説明したが、中継器１００と無線ＬＡＮ親機３００が他の周波数帯（たとえば、5GHz）の接続規格に対応する場合や複数の周波数帯の接続規格に対応する場合でも、同様に実施可能である。
【符号の説明】
【００３６】
１００  中継装置
１０２  有線ＬＡＮＩ／Ｆ
１０３  無線ＬＡＮＩ／Ｆ
１１０  制御部
１１１  ＲＡＭ
１１２  ＲＯＭ
１１４  有線ＬＡＮＩ／Ｆ制御部
１１５  無線ＬＡＮＩ／Ｆ制御部
１１６  接続速度管理部
１１７  システム制御部
１１８  データバス
１２１  ケーブル
３００  無線ＬＡＮ親機
４００  ＭＦＰ
５００  ユーザー端末
【図１】
2019110436.tif 000003
【図２】
2019110436.tif 000004
【図３】
2019110436.tif 000005
【図４】
2019110436.tif 000006